(57)【要約】【課題】上からの被水に対して水滴を速やかに排出し、電気接続箱内への水の浸入を確実に防止することができる電気接続箱の防水カバー構造を提供する。【解決手段】アウタカバー３の上壁部２０ａの内側に隙間を介して内壁１６と内壁１６に続く傾斜壁１７とを設け、インナカバー２の上壁部９ａを内壁１６に沿って該隙間に挿入して、インナカバー２の上壁部９ａの先端を傾斜壁１７の上方に位置させ、アウタカバー３の上壁部２０ａの内面に、上壁部２０ａの先端からインナカバー２の上壁部９ａの先端と重なる位置に達する凹溝２６を設けた。【選択図】図３
2008061401.tif 000002
【特許請求の範囲】
【請求項１】
一方のカバーの壁部の内側に隙間を介して内壁と該内壁に続く傾斜壁とを設け、
他方のカバーの壁部を該内壁に沿って該隙間に挿入して、該他方のカバーの壁部の先端を該傾斜壁の上方に位置させ、
前記一方のカバーの前記壁部の内面に、該壁部の先端から前記他方のカバーの壁部の先端と重なる位置に達する凹溝を設けたことを特徴とする電気接続箱の防水カバー構造。
【請求項２】
前記他方のカバーの壁部の先端を前記内壁よりも挿入方向外側に突出させたことを特徴とする請求項１記載の電気接続箱の防水カバー構造。
【請求項３】
前記一方のカバーの壁部と前記傾斜壁とをリブで連結したことを特徴とする請求項１又は請求項２に記載の電気接続箱の防水カバー構造。
【請求項４】
前記他方のカバーに係止突起を設け、該係止突起に対する係合壁を前記一方のカバーに設けたことを特徴とする請求項１〜３の何れか１項に記載の電気接続箱の防水カバー構造。
【発明の詳細な説明】
【技術分野】
【０００１】
本発明は、上からの被水に対してカバー相互の接合部からの水の浸入を防止した電気接続箱の防水カバー構造に関するものである。
【背景技術】
【０００２】
一般に、電気接続箱は配線基板、ヒューズ、リレー、コネクタ、等の電気部品を備えるが、例えば自動車に搭載される電気接続箱は、エンジンルームに設置されることがあり、洗車等によるエンジンルームへの水の進入に対し、配線基板等の電気部品が短絡しないように防水対策が施されている（例えば特許文献１参照）。
【０００３】
特許文献１に開示された電気接続箱１０１は、図４及び図５に示すように、一方のカバー１０２の壁部１０３の内側に隙間を介して内壁１０４と内壁に続く傾斜壁１０５とを設け、他方のカバー１０６の壁部１０７を内壁１０４に沿って前記隙間に挿入して、他方のカバー１０６の壁部１０７の先端１０７ａを傾斜壁１０５の上方に位置させるよう構成している。
【０００４】
両カバー１０２，１０６の組み付け時に、一方のカバー１０２の壁部１０３と内壁１０４との隙間に他方のカバー１０６の壁部１０７が挿入され、他方のカバー１０６の壁部１０７の先端は内壁１０４上を通って傾斜壁１０５の上方に位置する。傾斜壁１０５は他方のカバー１０６の壁部１０７の先端の下方に位置する。そして、電気接続箱１０１の上に被水した水は、一方のカバー１０２の壁部１０３と他方のカバー１０６の壁部１０７との間を経て壁部１０７の先端から傾斜壁１０５の表面上に落下し、傾斜壁１０５に沿って外部に排出される。
【０００５】
【特許文献１】特開２００４−１６６３６２号公報
【発明の開示】
【発明が解決しようとする課題】
【０００６】
しかし、特許文献１に開示された電気接続箱の防水カバー構造では、一方のカバー１０２の壁部１０３と他方のカバー１０６の壁部１０７との隙間が比較的狭く、その間隔も一定であることから、毛細管現象等により一方のカバー１０２の壁部１０３と他方のカバー１０６の壁部１０７との隙間に水が留まってしまい、例えば振動などの外的要因によって、滞留した水が電気接続箱の内部に戻ってしまう虞がある。
【０００７】
本発明は、上述した事情に鑑みてなされたものであり、その目的は、上からの被水に対して水滴を速やかに排出し、電気接続箱内への水の浸入を確実に防止することができる電気接続箱の防水カバー構造を提供することにある。
【課題を解決するための手段】
【０００８】
上記目的は、本発明に係る下記（１）〜（４）の電気接続箱の防水カバー構造により達成される。
【０００９】
（１）一方のカバーの壁部の内側に隙間を介して内壁と該内壁に続く傾斜壁とを設け、他方のカバーの壁部を該内壁に沿って該隙間に挿入して、該他方のカバーの壁部の先端を該傾斜壁の上方に位置させ、前記一方のカバーの前記壁部の内面に、該壁部の先端から前記他方のカバーの壁部の先端と重なる位置に達する凹溝を設けたことを特徴とする電気接続箱の防水カバー構造。
（２）前記他方のカバーの壁部の先端を前記内壁よりも挿入方向外側に突出させたことを特徴とする（１）の電気接続箱の防水カバー構造。
（３）前記一方のカバーの壁部と前記傾斜壁とをリブで連結したことを特徴とする（１）又は（２）の電気接続箱の防水カバー構造。
（４）前記他方のカバーに係止突起を設け、該係止突起に対する係合壁を前記一方のカバーに設けたことを特徴とする（１）〜（３）の何れかに記載の電気接続箱の防水カバー構造。
【００１０】
上記（１）の構成により、両カバーの組付時に一方のカバーの壁部と内壁との隙間に他方のカバーの壁部が挿入され、他方のカバーの壁部の先端は内壁上を通って傾斜壁の上方に位置する。そして、電気接続箱の上に被さった水は、一方のカバーの壁部と他方のカバーの壁部との間を経て他方のカバーの壁部の先端から傾斜壁の表面上に落下し、傾斜壁に沿って外部に排出される。そして、一方のカバーの壁部の内面に該壁部の先端から他方のカバーの壁部の先端と重なる位置に達する凹溝を設け、両カバーの壁部の間隔を拡げたことで、毛細管現象等により両カバーの壁部の隙間に水が留まることを防止でき、電気接続箱内への水の浸入を確実に防止することができる。
【００１１】
上記（２）の構成により、両カバーの組付時に他方のカバーの壁部の先端が内壁上を通過して傾斜壁の上方に対向して位置する。他方のカバーの壁部の先端と内壁とは水平方向に離間し、内壁は電気接続箱の内側寄りに位置し、他方のカバーの壁部の先端は電気接続箱の外側寄りに位置する。そして、電気接続箱の上に被さった水は、他方のカバーの壁部の先端から内壁に逆戻りすることなく傾斜壁の表面上に確実に落下し、傾斜壁に沿って外部に一層スムーズに排出される。
【００１２】
上記（３）の構成により、一方のカバーの壁部と内壁との間の隙間が大きく拡がることなくリブで正確な寸法に保持され、内壁と他方のカバーの壁部との密着性が高まる。これにより、防水性が向上する。また、一方のカバーの隙間回りの構造がリブで補強されて機械的強度がアップする。
【００１３】
上記（４）の構成により、両カバーの組付時に係止突起と係合壁とが係合し、両カバーが係止される。係止突起と係合壁という組み合わせで、係止手段として貫通した係合孔を用いないから、係合孔からカバー内に水が浸入するという不具合が防止される。
【発明の効果】
【００１４】
本発明によれば、上からの被水に対して水滴を速やかに排出し、電気接続箱内への水の浸入を確実に防止することができる電気接続箱の防水カバー構造を提供することができる。
【発明を実施するための最良の形態】
【００１５】
以下、図を参照して本発明の好適な実施形態を説明する。
【００１６】
図１は本発明の電気接続箱の防水カバー構造の一実施形態の分解斜視図、図２は図１の電気接続箱の防水カバー構造の要部を断面で示す拡大斜視図、図３は図１の電気接続箱の防水カバー構造の要部を図２と異なる断面で示す拡大斜視図である。
【００１７】
図１に示すように、電気接続箱１は、合成樹脂製の有底の矩形筒状のインナカバー２と、インナカバー２の水平方向に向いた開口５を塞ぐ合成樹脂製のアウタカバー３とを備えている。インナカバー２内には、不図示の配線基板、ヒューズ、リレー、コネクタ、等の電気部品が収容されている。特許請求の範囲においては、アウタカバー３を一方のカバー、インナカバー２を他方のカバーと表現している。
【００１８】
インナカバー２の対となる角部には、例えば車両のパネル（インストルメントパネル）などの不図示の被取付部材に電気接続箱１を取り付けるためのブラケット１３が設けられており、インナカバー２の周壁９の上壁部９ａ及び下壁部には係止突起１４が設けられている。各係止突起１４は、アウタカバー３を係止させるものである。
【００１９】
アウタカバー３は矩形板状の覆壁１９と、覆壁１９の周囲に形成された枠状の周壁２０とを備えている。垂直に配置された覆壁１９の上縁部には水平方向に伸びるスリット状の開口２１が設けられており、この開口２１の下縁から上向きに傾斜して伸びる傾斜壁１７と、その先端から水平に伸びる内壁１６とが一体に形成されている。周壁２０はインナカバー２の周壁９の外面に被さるようになっている。
【００２０】
アウタカバー３の内壁１６は、周壁２０の上壁部２０ａに対向して平行に位置し、且つ上壁部２０ａよりも短く形成され、内壁１６の先端は上壁部２０ａの先端よりもやや内側に位置している。内壁１６及び傾斜壁１７と上壁部２０ａとの間には隙間がおかれている。
【００２１】
覆壁１９に接続している傾斜壁１７の基端部と上壁部２０とは補強用の複数本のリブ２４で連結されている。リブ２４は、内壁１６及び傾斜壁１７と上壁部２０との隙間へのインナカバー２の上壁部９ａの挿入を阻害しない長さで形成されている。尚、リブ２４は必ずしも必要ではない。
【００２２】
アウタカバー３の上壁部２０ａ及び下壁部にはロック部２５が外向きに膨出して形成されており、このロック部２５はインナカバー２の係止突起１４に対する係合壁となっている。
【００２３】
インナカバー２内に電気部品等が収容された状態で、アウタカバー３がインナカバー２に装着される。アウタカバー３の周壁２０はインナカバー２の周壁９の外側に被さり、ロック部２５が係止突起１４を乗り超えて、その内側に該係止突起１４を係止する。
【００２４】
さらに図２及び図３を参照して、アウタカバー３の上壁部２０ａの内面は、インナカバー２の上壁部９ａの外面に接し（若干隙間があってもよい）、アウタカバー３の内壁１６はインナカバー２の上壁部９ａの内面に接する（密着することが好ましい）。アウタカバー３の周壁２０の下壁部及び左右の側壁部の内面はインナカバー２の周壁９の外面に密着させ、あるいは、インナカバー２の周壁９の先端をアウタカバー３の覆壁１９の内面に密着させることが好ましい。
【００２５】
アウタカバー３の上壁部２０ａは、内壁１６よりも深くインナカバー２の上壁部９ａに接し、内壁１６は、上壁部２０ａの奥行きの範囲内でインナカバー２の上壁部９ａに接している。インナカバー２の上壁部９ａの先端は、傾斜壁１７に接続している内壁１６の基端を通過して外側に突出し、内壁１６に続く傾斜壁１７の中間部上側（上方）に位置しており、アウタカバー３の上壁部２０ａの基端すなわち覆壁１９は、上壁部９ａの先端よりも外側に位置している。すなわち、インナカバー２の上壁部９ａの先端は、内壁１６及び傾斜壁１７と上壁部２０との間の隙間内に位置している。
【００２６】
電気接続箱１の上に被さった水は、インナカバー２の上壁部９ａとアウタカバー３の上壁部２０ａとの間の隙間を経て、上壁部９ａの先端から落下し、アウタカバー３の傾斜壁１７の外面に沿って外部に排出される。
【００２７】
ここで、インナカバー２の上壁部９ａと接し、あるいは、僅かな隙間をおいて対向するアウタカバー３の上壁部２０ａの内面には、上壁部２０ａの先端からインナカバー２の上壁部９ａの先端と重なる位置に達する凹溝２６が設けられている。この凹溝２６は、図示の例では断面矩形状に成形されているが、断面三角形、断面半円形、等であってもよい。
【００２８】
凹溝２６により、インナカバー２の上壁部９ａとアウタカバー３の上壁部２０ａとの間隔が拡げられ、毛細管現象等により両カバー２，３の上壁部９ａ，２０ａの隙間に水が留まることが防止され、インナカバー２の上壁部９ａ上の水は迅速に排出される。
【００２９】
以上説明したように、本実施形態の電気接続箱１の防水カバー構造によれば、両カバー２，３の組付時にアウタカバー３の上壁部２０ａと内壁１６との隙間にインナカバー２の上壁部９ａが挿入され、インナカバー２の上壁部９ａの先端は内壁１６上を通って傾斜壁１７の上方に位置する。傾斜壁１７はインナカバー２の上壁部９ａの先端の下方に位置する。そして、電気接続箱１の上に被水した水は、アウタカバー３の上壁部２０ａとインナカバー２の上壁部９ａとの間を経てインナカバー２の上壁部９ａの先端から傾斜壁１７の表面上に落下し、傾斜壁１７に沿って外部に排出される。そして、アウタカバー３の上壁部２０ａの内面に該上壁部２０ａの先端からインナカバー２の上壁部９ａの先端と重なる位置に達する凹溝２６を設け、両カバー２，３の上壁部９ａ，２０ａの間隔を拡げたことで、毛細管現象等により両カバー２，３の上壁部９ａ，２０ａの隙間に水が留まることを防止でき、電気接続箱１内への水の浸入を確実に防止することができる。
【００３０】
また、本実施形態の電気接続箱１の防水カバー構造によれば、両カバー２，３の組付時にインナカバー２の上壁部９ａの先端がアウタカバー３の内壁１６上を通過して傾斜壁１７の上方に対向して位置する。インナカバー２の上壁部９ａの先端とアウタカバー３の内壁１６とは水平方向に離間し、内壁１６は電気接続箱１の内側寄りに位置し、インナカバー２の上壁部９ａの先端は電気接続箱１の外側寄りに位置する。そして、電気接続箱１の上に被さった水は、インナカバー２の上壁部９ａの先端から内壁１６に逆戻りすることなく傾斜壁１７の表面上に確実に落下し、傾斜壁１７に沿って外部に一層スムーズに排出される。
【００３１】
また、本実施形態の電気接続箱１の防水カバー構造によれば、傾斜壁１７の下端側と上壁部２０とを連結するリブ２４により、アウタカバー３の上壁部２０ａと内壁１６との間の隙間が大きく拡がることなく正確な寸法に保持され、内壁１６とインナカバー２の上壁部９ａとの密着性が高まる。これにより、防水性が向上する。また、アウタカバー３の機械的強度もアップする。
【００３２】
また、本実施形態の電気接続箱１の防水カバー構造によれば、両カバー２，３の組付と同時に係止突起１４をロック部２５とが係合し、両カバー２，３がしっかりと係止される。係止突起１４とロック部２５という組み合わせで、係止手段として貫通した係合孔を用いないから、係合孔からカバー内に水が浸入するという不具合が防止される。
【００３３】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００３４】
【図１】本発明の電気接続箱の防水カバー構造の一実施形態の分解斜視図である。
【図２】図１の電気接続箱の防水カバー構造の要部を断面で示す拡大斜視図である。
【図３】図１の電気接続箱の防水カバー構造の要部を図２と異なる断面で示す拡大斜視図である。
【図４】従来の電気接続箱の防水カバー構造の分解斜視図である。
【図５】図４の電気接続箱の防水カバー構造の断面図である。
【符号の説明】
【００３５】
１      電気接続箱
２      インナカバー（他方のカバー）
３      アウタカバー（一方のカバー）
９      インナカバーの周壁
９ａ    上壁部（他方のカバーの壁部）
１４    係止突起
１６    内壁
１７    傾斜壁
２０    アウタカバーの周壁
２０ａ  上壁部（一方のカバーの壁部）
２４    リブ
２５    ロック部（係合壁）
２６    凹溝
【図１】
2008061401.tif 000003
【図２】
2008061401.tif 000004
【図３】
2008061401.tif 000005
【図４】
2008061401.tif 000006
【図５】
2008061401.tif 000007